(57)【要約】      （修正有）【課題】使用者がスイッチを駆動するとすぐに振動を発生するか否かに基づいてスイッチが電源をオンまたはオフにしたかを判断できるスイッチ開閉振動提示装置を提供する。【解決手段】スイッチ開閉振動提示装置は、スイッチ１による電源のオン・オフで提示用の振動を発生する装置であり、スイッチのハウジング１０上にタッチ部材１２が設置され、人が手で触れてスイッチを開閉するために用いられ、ハウジング内に振動器４が設置され、タッチ部材によるスイッチの開閉動作の制御を受けて振動を発生し、かつハウジングとタッチ部材を同期して振動させ、これにより振動で使用者にスイッチがすでにオンまたはオフにされたことを提示し、使用上の利便性を向上する。【選択図】図２
0003186187.tif 000002
【実用新案登録請求の範囲】
【請求項１】
スイッチ開閉振動提示装置であって、
スイッチのハウジングと、
前記ハウジング上に設置され、人が手で触れて前記スイッチを開閉するために用いられるタッチ部材と、
前記ハウジング内に設置され、前記タッチ部材の前記スイッチの開閉動作の制御を受けて振動を発生し、前記ハウジングと前記タッチ部材を同期して振動させる振動器と、
を含むことを特徴とする、スイッチ開閉振動提示装置。
【請求項２】
前記スイッチが、タッチスイッチまたはボタンスイッチ、切換スイッチ、回転つまみスイッチのいずれかであることを特徴とする、請求項１に記載のスイッチ開閉振動提示装置。
【請求項３】
さらに、前記ハウジング内部に形成された収容槽と、前記収容槽内の前記タッチ部材近くの人の手が触れたことを感知するに足る位置に設置された金属感知片と、前記収容槽内に設置された制御ユニットと、前記感知片と制御ユニットの間に電気的に接続された導電部材を含み、前記タッチ部材が平坦状に前記ハウジングの上面部に形成され、前記振動器が前記収容槽内に設置され、前記金属感知片が前記タッチ部材を介して人の手が触れたことを感知して感知信号を出力し、前記導電部材が前記感知信号を前記制御ユニットに伝達し、前記制御ユニットに外部のその他電器のオン・オフ及び制御に用いるトリガ信号を出力させ、前記振動器が前記トリガ信号を受信して振動を発生することを特徴とする、請求項１に記載のスイッチ開閉振動提示装置。
【請求項４】
前記導電部材が螺旋形態であることを特徴とする、請求項３に記載のスイッチ開閉振動提示装置。
【請求項５】
さらに、前記タッチ部材が透光性の形態であり、前記感知片上に透かし図形が形成され、前記制御ユニット上面部に第１発光ダイオードが設置され、前記感知片と制御ユニットの間を隔てて反射カップが介在され、前記反射カップが下から上に径が広がっている円錐形反射槽を備え、前記反射カップが前記第１発光ダイオード外囲の前記収容槽内に設置され、前記第１発光ダイオードを前記円錐形反射槽内に配置させ、前記第１発光ダイオードが前記トリガ信号を受信して光線を発生し、前記第１発光ダイオードが発した光線が前記円錐形反射槽により反射・集光され、前記透かし図形及び前記タッチ部材を通過して前記ハウジング上方に向かって投射されることを特徴とする、請求項３に記載のスイッチ開閉振動提示装置。
【請求項６】
さらに前記タッチ部材と前記感知片の間に介在されて前記収容槽内に設置された透光片を含み、前記タッチ部材が透明の透光性の形態であり、前記透光片が半透明の透光性の形態であることを特徴とする、請求項５に記載のスイッチ開閉振動提示装置。
【請求項７】
前記透光片が底部に前記感知片を収容する凹槽を備え、前記透光片上に前記透かし図形に対応する透光性図形が形成されたことを特徴とする、請求項６に記載のスイッチ開閉振動提示装置。
【請求項８】
さらに、前記ハウジングの外周壁面が透光性の形態であり、前記制御ユニットの周辺に複数の第２発光ダイオードが設置され、前記感知片と前記制御ユニットの間を隔てて反射カップが介在され、前記反射カップの外壁に反射円錐面が形成され、前記反射カップが前記第２発光ダイオードの間の前記収容槽内に設置され、前記第２発光ダイオードが前記反射円錐面の外囲に配置されて、前記第２発光ダイオードが前記トリガ信号を受信して光線を発生し、前記第２発光ダイオードが発した光線が前記反射円錐面に反射され、前記外周壁面を通過して前記ハウジングの四周に向かって投射されることを特徴とする、請求項３に記載のスイッチ開閉振動提示装置。
【請求項９】
前記ハウジングの外周壁面上に複数の干渉作用を形成するに足る環状凸部が形成され、前記タッチ部材の周辺を前記外周壁面の外に延伸して環状凸縁が形成されたことを特徴とする、請求項３に記載のスイッチ開閉振動提示装置。
【請求項１０】
前記ハウジングの底部に前記収容槽に連通した開口が形成され、前記開口内に底蓋が設置され、前記底蓋の上面部に前記振動器を収容する位置決め槽が形成されたことを特徴とする、請求項３に記載のスイッチ開閉振動提示装置。
【考案の詳細な説明】
【技術分野】
【０００１】
本考案はスイッチ開閉振動提示装置に関し、特に、スイッチで電源をオンまたはオフにすると提示用の振動を発生する装置であり、前記装置のハウジング、タッチ部材、振動器に関する。
【背景技術】
【０００２】
電源スイッチは規格と寸法の種類が非常に多岐にわたり、応用範囲も非常に幅広く、その作動方式に基づいて電源スイッチはタッチスイッチ、ボタンスイッチ、切換スイッチ、回転つまみスイッチ等に概ね区分することができる。電源スイッチは回路電源の開閉、切換えができるほか、電源スイッチを作動させて電子信号を出力させることもできる。
【０００３】
一般的な精密設備、小型設備或いは小型電器に比較的よく使用される電源スイッチは、ほとんどがマイクロスイッチと呼ばれ、その作動方式はタッチ式、ボタン式、切換式、回転つまみ式等がある。これらの電源スイッチは体積が非常に小さく、軽くて薄いため、空間に限りがある、または小型またはマイクロスイッチしか設置できない電子設備や機器上の設置に応用することができ、例えばコンピュータ、家電、通信の３Ｃ電子製品やマイクロコンピュータ等の産業で応用される。
【０００４】
しかしながら、上述の従来の電源スイッチは使用者がタッチ、押圧、押動、回転等の作動を実施した後、電源がすでに導通されたか切断されたかは前記電源スイッチが制御する電器の動作状態が変わるのを待たないと使用者が識別することができず、特にタッチ方式を利用して作動する電源スイッチはその電源の開閉状態を使用者がすぐに識別することが困難であるため、使用者が電源の開閉状態を把握できずに何度も電源スイッチを操作してしまうことになり、特に盲人が電源スイッチを操作するとき問題となる。
【考案の概要】
【考案が解決しようとする課題】
【０００５】
本考案の主な目的は、上述の先行技術において、従来の電源スイッチは使用者がタッチ、押圧、押動、回転等の作動を実施したとき、電源がすでに導通されたか切断されたか前記電源スイッチが制御する電器の動作状態が変わるのを待たないと使用者が識別することができず、使用者が電源の開閉状態を把握できずに何度も電源スイッチを操作してしまう状況を引き起こしやすく、使用上不便であるという問題を克服できる、スイッチでの電源オンまたはオフで提示用の振動を発生する、スイッチ開閉振動提示装置を提供することにある。
【課題を解決するための手段】
【０００６】
上述の目的を達するため、本願の第１考案は、スイッチ開閉振動提示装置であって、
スイッチのハウジングと、
前記ハウジング上に設置され、人が手で触れて前記スイッチを開閉するために用いられるタッチ部材と、
前記ハウジング内に設置され、前記タッチ部材の前記スイッチの開閉動作の制御を受けて振動を発生し、前記ハウジングとタッチ部材を同期して振動させる振動器を含む、スイッチ開閉振動提示装置を提供する。
本願の第２考案は、前記スイッチがタッチスイッチまたはボタンスイッチ、切換スイッチ、回転つまみスイッチとすることができる、前記第１考案のスイッチ開閉振動提示装置を提供する。
本願の第３考案は、前記ハウジング内部に形成された収容槽と、前記収容槽内の前記タッチ部材近くの人の手が触れたことを感知するに足る位置に設置された金属感知片と、前記収容槽内に設置された制御ユニットと、前記感知片と制御ユニットの間に電気的に接続された導電部材を含み、前記タッチ部材が平坦状に前記ハウジングの上面部に形成され、前記振動器が前記収容槽内に設置され、前記金属感知片が前記タッチ部材を介して人の手が触れたことを感知して感知信号を出力し、前記導電部材が前記感知信号を前記制御ユニットに伝達し、前記制御ユニットに外部のその他電器のオン・オフ及び制御に用いるトリガ信号を出力させ、前記振動器が前記トリガ信号を受信して振動を発生することを特徴とする、前記第１考案のスイッチ開閉振動提示装置を提供する。
本願の第４考案は、前記導電部材が螺旋形状とすることができることを特徴とする、前記第３考案のスイッチ開閉振動提示装置を提供する。
本願の第５考案は、前記タッチ部材が透光性の形態であり、前記感知片上に透かし図形が形成され、前記制御ユニット上面部に第１発光ダイオードが設置され、前記感知片と制御ユニットの間を隔てて反射カップが介在され、前記反射カップが下から上に径が広がっている円錐形反射槽を備え、前記反射カップが前記第１発光ダイオード外囲の前記収容槽内に設置され、前記第１発光ダイオードを前記円錐形反射槽内に配置させ、前記第１発光ダイオードが前記トリガ信号を受信して光線を発生し、前記第１発光ダイオードが発した光線が前記円錐形反射槽により反射・集光され、前記透かし図形及び前記タッチ部材を通過して前記ハウジング上方に向かって投射されることを特徴とする、前記第３考案のスイッチ開閉振動提示装置を提供する。
本願の第６考案は、前記タッチ部材と前記感知片の間に介在されて前記収容槽内に設置された透光片を含み、前記タッチ部材が透明の透光性の形態であり、前記透光片が半透明の透光性の形態であることを特徴とする、前記第５考案のスイッチ開閉振動提示装置を提供する。
本願の第７考案は、前記透光片が底部に前記感知片を収容する凹槽を備え、前記透光片上に前記透かし図形に対応する透光性図形が形成されたことを特徴とする、前記第６考案のスイッチ開閉振動提示装置を提供する。
本願の第８考案は、前記ハウジングの外周壁面が透光性の形態であり、前記制御ユニットの周辺に複数の第２発光ダイオードが設置され、前記感知片と前記制御ユニットの間を隔てて反射カップが介在され、前記反射カップの外壁に反射円錐面が形成され、前記反射カップが前記第２発光ダイオードの間の前記収容槽内に設置され、前記第２発光ダイオードが前記反射円錐面の外囲に配置されて、前記第２発光ダイオードが前記トリガ信号を受信して光線を発生し、前記第２発光ダイオードが発した光線が前記反射円錐面に反射され、前記外周壁面を通過して前記ハウジングの四周に向かって投射されることを特徴とする、前記第３考案のスイッチ開閉振動提示装置を提供する。
本願の第９考案は、前記ハウジングの外周壁面上に複数の干渉作用を形成するに足る環状凸部が形成され、前記タッチ部材の周辺を前記外周壁面の外に延伸して環状凸縁が形成されたことを特徴とする、前記第３考案のスイッチ開閉振動提示装置を提供する。
本願の第１０考案は、前記ハウジングの底部に前記収容槽に連通した開口が形成され、前記開口内に底蓋が設置され、前記底蓋の上面部に前記振動器を収容する位置決め槽が形成されたことを特徴とする、前記第３考案のスイッチ開閉振動提示装置を提供する。
【考案の効果】
【０００７】
本考案によれば、使用者がタッチ部材を操作してスイッチを駆動すると、すぐに前記ハウジングとタッチ部材が振動を発生するか否かに基づいてスイッチが電源をオンまたはオフにしたかを判断でき、スイッチでの電源オンまたはオフで提示用の振動を発生するという目的を達し、電源スイッチの使用上の利便性を向上することができる。
【０００８】
本考案によれば、ハウジング上面部のタッチ部材に触れると、前記感知片が感知信号を生成し、且つ制御ユニットが導電部材を経由して感知信号を受信して、外部のその他電器に対してトリガ信号を出力し、前記電器のオン・オフおよび制御を行なうことができる。前記電器は一般的な室内、屋外用の家電とすることができ、特に浴室内の電灯や、蛇口の開閉または便器の洗浄を行なう電子制御装置としてもよい。
【０００９】
本考案はさらにハウジングの防水設計により外部の液体が収容槽内に入り込むことがないよう遮断し、収容槽内の前記感知片、制御ユニット、導電部材、振動器に錆が生じないように防止して、スイッチの耐久性と使用寿命を大幅に高めることができる。
【図面の簡単な説明】
【００１０】
【図１】本考案の最良の実施例の立体図である。
【図２】図１の立体分解図である。
【図３】図１の正面図である。
【図４】図３のＡ−Ａ線の断面図である。
【図５】図３の右側面図である。
【図６】図５のＢ−Ｂ線の断面図である。
【図７】図１の底面の立体図である。
【図８】図３の使用状態を示す断面図である。
【図９】図１の実施例の付加的実施形態の正面図である。
【図１０】図１の実施例の別の付加的実施形態の正面図である。
【図１１】図１の実施例のまた別の付加的実施形態の正面図である。
【図１２】図１の実施例のさらに別の付加的実施形態の正面図である。
【考案を実施するための形態】
【００１１】
図１に本考案の最良の実施例の立体図を示し、さらに図２から図７を組み合わせて説明する。本考案のスイッチ開閉振動提示装置は、スイッチのハウジング１０、タッチ部材１２、振動器４を含む。
【００１２】
そのうち、前記タッチ部材１２はハウジング１０上に設置され、人が手で触れて前記スイッチを開閉するために用いられる。
【００１３】
実施例において、前記スイッチはタッチスイッチ１、ボタンスイッチ１ａ、切換スイッチ１ｂ、１ｃまたは回転つまみスイッチ１ｄ等とすることができ、前記タッチ部材１２はタッチスイッチ１のハウジング１０上面部に一体として形成することができる。或いは、前記タッチ部材１２ａはボタンスイッチ１ａのハウジング１０ａ上面部のボタン(図９参照)としてもよく、または前記タッチ部材１２ｂ、１２ｃは切換スイッチ１ｂ、１ｃのハウジング１０ｂ、１０ｃ上面部の切換ボタンまたは切換バー(図１０及び図１１参照)としてもよい。或いは、前記タッチ部材１２ｄは回転つまみスイッチ１ｄのハウジング１０ｄ上面部の回転つまみ(図１２参照)とすることもできる。
【００１４】
前記振動器４はハウジング１０、１０ａ、１０ｂ、１０ｃ、１０ｄ内に設置され、タッチ部材１２、１２ａ、１２ｂ、１２ｃ、１２ｄの前記スイッチ１、１ａ、１ｂ、１ｃ、１ｄの開閉動作の制御を受けて振動を発生し、かつ前記ハウジング１０、１０ａ、１０ｂ、１０ｃ、１０ｄとタッチ部材１２、１２ａ、１２ｂ、１２ｃ、１２ｄを同期して振動させる。前記振動器４は実質上振動モーターとすることができる。
【００１５】
前記タッチ部材１２、１２ａ、１２ｂ、１２ｃ、１２ｄが前記スイッチ１、１ａ、１ｂ、１ｃ、１ｄを開閉する動作は、前記タッチスイッチ１のハウジング１０上面部にタッチする、前記ボタンスイッチ１ａのボタンを押す、前記切換スイッチ１ｂ、１ｃの切換ボタンまたは切換バーを押し動かす、または前記回転つまみスイッチ１ｄの回転つまみを回転させる、動作を含む。
【００１６】
前記タッチ部材１２、１２ａ、１２ｂ、１２ｃ、１２ｄが前記スイッチ１、１ａ、１ｂ、１ｃ、１ｄを開閉する動作は、前記タッチ部材１２、１２ａ、１２ｂ、１２ｃ、１２ｄに電子制御または物理的接触方式で電源をオンまたはオフにし、かつ振動器４に振動を発生させることができる。
【００１７】
上述により、使用者がタッチ部材１２、１２ａ、１２ｂ、１２ｃ、１２ｄを操作してスイッチ１、１ａ、１ｂ、１ｃ、１ｄを駆動し電源をオンまたはオフにした瞬間、前記ハウジング１０、１０ａ、１０ｂ、１０ｃ、１０ｄとタッチ部材１２、１２ａ、１２ｂ、１２ｃ、１２ｄが振動を発生したか否かを通してすぐにスイッチ１、１ａ、１ｂ、１ｃ、１ｄが電源をオンにしたか或いはオフにしたかを判断することができる。
【００１８】
これにより、本考案はスイッチでの電源オンまたはオフにより提示用の振動を発生し、上述の先行技術において、従来の電源スイッチは使用者がタッチ、押圧、押動、回転等の作動を実施したとき、電源がすでに導通されたか切断されたか前記電源スイッチが制御する電器の動作状態が変わるのを待たないと使用者が識別することができず、使用者が電源の開閉状態を把握できずに何度も電源スイッチを操作してしまう状況を引き起こしやすく、使用上不便であるという問題を克服でき、電源スイッチの使用上の利便性を向上することができる。
【００１９】
このほか、本考案はさらに具体的な実施例において、タッチスイッチ１を例とすると、収容槽１１、円形金属感知片２、制御ユニット３、金属製導電部材３１、第１発光ダイオード５１、複数の第２発光ダイオード５２、反射カップ６を含む。
【００２０】
そのうち、前記ハウジング１０は円柱状の形態とし、プラスチック材料の一体射出成型を採用でき、前記収容槽１１はハウジング１０内部に形成される。前記タッチ部材１２は平坦状でハウジング１０上面部に形成され、且つハウジング１０底部には収容槽１１に連通された開口１１１が形成され、前記振動器４が収容槽１１内の開口１１１近くの位置に設置される。
【００２１】
前記ハウジング１０の外周壁面１０１上に複数の相互平行で干渉作用を形成するに足る環状凸部１３が形成され、ハウジング１０の外周壁面１０１が階層式の形態に形成され、前記ハウジング１０の外周壁面１０１と環状凸部１３は本実施例において透明の透光性の形態とすることができる。前記タッチ部材１２の周辺がハウジング１０の外周壁面１０１外側まで延伸されて環状の凸縁１２１が形成され、前記凸縁１２１は下方の外周壁面１０１上の前記環状凸部１３を遮蔽することができ、前記タッチ部材１２と凸縁１２１は本実施例において半透明の透光性の形態とすることができる。
【００２２】
前記ハウジング１０の外周壁面１０１上には少なくとも１つの方向表示用の突起部１４が形成され、前記突起部１４は本実施例では２つとしてもよく、凸縁１２１に近い外周壁面１０１上にそれぞれ形成され、かつ前記突起部１４は相互に対称に形成される。前記ハウジング１０の外周壁面１０１上の前記タッチ部材１２及び凸縁１２１近くの位置に凸縁１２１に平行な環状溝１５を形成し、且つ環状溝１５内にシリコン材料から成る防水リング１６を設置してもよい。
【００２３】
前記感知片２は収容槽１１内のタッチ部材１２底部近くの人の手が触れたことを感知するに足る位置に設置され、タッチ部材１２から人の手が触れたことを感知して感知信号を出力することができる。人の手がタッチ部材１２に触れると、前記人の手と感知片２の間にキャパシタンス効果が発生するため、前記キャパシタンス効果で発生する電位差が前記感知信号を形成する。前記感知片２上には透かし図形２１を設けることができ、前記透かし図形２１の図形のタイプは図案、画像、文字、数字、記号とすることができる。
【００２４】
前記制御ユニット３は収容槽１１内部の中段の位置に設置され、前記感知片２と振動器４の間に介在され、且つ振動器４の上面部近くに配置される。前記制御ユニット３は実際には円形の回路板とすることができ、前記回路板上には集積回路またはチップが設置され、且つ回路板の底部に複数組の電源と信号導線３２が接続され、前記導線３２はハウジング１０底部の開口１１１から収容槽１１の外に延伸し、外部電源及びその他電器(図示しない)と電気的に接続することができる。
【００２５】
前記その他電器は一般的な室内、屋外用の家電とすることができ、特に浴室内の電灯や、蛇口の開閉または便器の洗浄を行なう電子制御装置としてもよい。
【００２６】
前記導電部材３１は前記感知片２底部と制御ユニット３の間に電気的に接続され、感知片２の感知信号を制御ユニット３に伝達し、制御ユニット３に外部のその他電器のオン・オフおよび制御に用いるトリガ信号を出力させ、且つ振動器４が前記トリガ信号を受信して振動を発生することができる。
【００２７】
前記第１発光ダイオード５１は制御ユニット３上面部の中央に設置され、収容槽１１中段部の位置の中央に配置される。第１発光ダイオード５１は本実施例においてＲＧＢフルカラー型の発光ダイオードを採用することができる。
【００２８】
前記第２発光ダイオード５２は制御ユニット３上面部の周辺に設置され、且つ等間隔で第１発光ダイオード５１の四周に配列される。前記第２発光ダイオード５２は本実施例において単色型式とすることができる。
【００２９】
前記反射カップ６は前記感知片２と制御ユニット３の間の収容槽１１内に設置され、且つ第１発光ダイオード５１の外囲と前記第２発光ダイオード５２の間に位置し、前記反射カップ６は内部に下から上に径が広がっている円錐形反射槽６１を備え、且つ反射カップ６の外壁に下から上に径が広がっている反射円錐面６２が形成され、第１発光ダイオード５１が円錐形反射槽６１内に配置され、且つ前記第２発光ダイオード５２が反射円錐面６２の外囲に配置される。
【００３０】
前記第１発光ダイオード５１と第２発光ダイオード５２はそれぞれ前記トリガ信号を受信して光線を発することができ、前記第１発光ダイオード５１が発する光線は円錐形反射槽６１により反射・集光されて前記透かし図形２１及びタッチ部材１２を通過し、ハウジング１０上方に向かって投射される。前記第２発光ダイオード５２が発する光線は反射円錐面６２により反射され、外周壁面１０１を通過してハウジング１０四周に向かって投射される。このように、反射カップ６が前記第１発光ダイオード５１と第２発光ダイオード５２の間を隔てているため、前記第１発光ダイオード５１と第２発光ダイオード５２の発生する光線が相互に干渉しあうことを防止できる。
【００３１】
上述の構造の構成により、本考案の実施によって、前記ハウジング１０は予め定めた位置９表面の収容孔９１内(図８参照)に挿入することができ、ハウジング１０で収容孔９１を塞ぎ、且つタッチ部材１２が収容孔９１外の予め定めた位置９の表面に露出される。前記予め定めた位置９は室内、屋外の人の手で触れやすい壁面や、家電或いは浴室設備の表面とすることができ、且つ収容孔９１は外部電源とその他電器に通じているものとすることができる。前記ハウジング１０底部の導線３２は収容孔９１を経由して外部電源及びその他電器に電気的に接続される。
【００３２】
これにより、前記ハウジング１０の外周壁面１０１の環状凸部１３が収容孔９１内壁との間に干渉作用を形成するに足るため、ハウジング１０の外周壁面１０１が前記環状凸部１３と収容孔９１内壁の緊密な貼着により、ハウジング１０の緩みまたは脱落が防止され、かつ水またはその他液体の収容孔９１内への浸入を防止することができる。同時に、前記凸縁１２１も収容孔９１を遮蔽でき、且つハウジング１０の外周壁面１０１上端部も防水リング１６により収容孔９１内壁と緊密に貼着させることができ、より一層水またはその他液体が収容孔９１内に浸入するのを防止できる。
【００３３】
一般的な使用状況下では、使用者が前記タッチ部材１２に触れないとき、前記第１発光ダイオード５１がある色彩(例えば緑色)の光線を発し、且つ前記緑色の光線が円錐形反射槽６１によって反射されて集光され、光線がより均一にされて、前記透かし図形２１及び半透明のタッチ部材１２を通過してハウジング１０上方に向けて投射され、同時にタッチ部材１２表面に透かし図形２１の輪郭を表現した緑色の光線が形成される。
【００３４】
使用者が手の指で予め定めた位置９の表面のタッチ部材１２に触れると、その瞬間に前記感知片２が感知信号を生成し、且つ制御ユニット３が導電部材３１を介して前記感知信号を受信し、さらに前記導線３２を介して外部のその他電器に対しトリガ信号を出力して、前記電器をオン・オフ及び制御することができる。
【００３５】
同時に、前記トリガ信号は振動器４に振動を発生させ、振動器４が前記ハウジング１０とタッチ部材１２を同期して振動させるため、使用者はスイッチ１に触れることで前記電器のオン・オフ及び制御の動作を行なっていることが分かる。前記第１発光ダイオード５１は別の色(例えば赤色)の光線を発することができ、前記赤色の光線がハウジング１０上方から投射され、同時にタッチ部材１２表面に透かし図形２１の輪郭の赤色の光線が形成される。これにより、前記緑色と赤色の光線で照明及び表示の効果が得られ、かつスイッチ１が接続された電灯や家電、浴室設備の使用状態を表示することができる。
【００３６】
この期間、前記第２発光ダイオード５２はさらに別の色(例えば青色)の光線を発することができ、且つ前記青色の光線は反射円錐面６２により反射され、前記透明の外周壁面１０１を通過してハウジング１０の四周に向かって投射され、円環状の光を生み出すことができる。前記第２発光ダイオード５２は使用者がタッチ部材１２に触れた瞬間にさらに別の色（例えば黄色)の光線に変わり、前記黄色の光線が前記外周壁面１０１を通過してハウジング１０の四周に向かって投射される。これにより、前記青色の光線を背景光としたり、照明及び表示の作用を生み出したりすることができ、またスイッチ１が接続された電灯や家電、浴室設備の使用状態を表示することもできる。
【００３７】
さらに、前記第１発光ダイオード５１と第２発光ダイオード５２が発生する光線の色は自由に組み合わせることができ、或いは前記第１発光ダイオード５１と第２発光ダイオード５２の発光のタイミング制御を利用して、前記第１発光ダイオード５１と第２発光ダイオード５２が発生する光線間に相互作用効果を形成し、全体の美感を高めることができる。
【００３８】
水またはその他液体が前記予め定めた位置９の表面にかかったとき、ハウジング１０のタッチ部材１２と外周壁面１０１の間に水またはその他液体が収容槽１１内に進入するシームまたは空隙がないため、水またはその他液体がハウジング１０内部の感知片２、制御ユニット３、導電部材３１、振動器４に影響及び損害を与えることを防止でき、スイッチの耐久性と使用寿命を大幅に高めることができる。
【００３９】
これにより、本考案は前記第１発光ダイオード５１、第２発光ダイオード５２が発生する照明と表示用光線を利用して、スイッチ１が接続された電灯、家電または浴室設備の使用状態を表示すると同時に全体の美感を向上でき、かつハウジング１０の防水設計により外部の水または液体が収容槽１１内に浸入するのを防ぎ、収容槽１１内の前記感知片２、制御ユニット３、導電部材３１、振動器４に錆が生じないよう防止できるため、スイッチの耐久性と使用寿命を大幅に高めることができる。
【００４０】
別の具体的な実施例において、前記導電部材３１は実際には円錐状の螺旋形態とすることができ、導電部材３１の両端が円錐形反射槽６１の内壁に沿って螺旋を描き前記感知片２と制御ユニット３にそれぞれ延伸され、第１発光ダイオード５１が発する光線を避け、導電部材３１が前記光線に影響を与えたり、光線を遮蔽したりすることを回避し、且つ導電部材３１が螺旋形態でバネと同様であるため、導電部材３１が前記感知片２底部と制御ユニット３上面部の間を弾性的に保持することができる。
【００４１】
別の具体的な実施例において、本考案はさらに円形透光片７を含むことができ、前記タッチ部材１２と感知片２の間の収容槽１１内に介在され、前記タッチ部材１２は本実施例において透明の透光性の形態とし、透光片７は半透明の透光性の形態とすることができ、収容槽１１内の前記感知片２、導電部材３１、制御ユニット３、振動器４を遮蔽し、且つ透光片７上に前記透かし図形２１に対応する透光性図形７１が設けられ、前記透光性図形７１の図形のタイプは図案、画像、文字、数字、記号とすることができ、且つ透光性図形７１は塗装レーザーマーキングの方式で形成することができる。
【００４２】
前記透光片７は底部に感知片２を収容できる凹槽７２が形成され、前記凹槽７２の内壁に少なくとも１つの凸部７２１が形成され(図４参照)、且つ感知片２の周辺に少なくとも１つの凹部２２が形成され、前記凸部７２１を凹部２２内に嵌置させて感知片２が透光片７底部の凹槽７２内に位置決めされる。前記凸部７２１は対称に設けられ、且つ前記凹部２２も対称に設けられる。
【００４３】
上述により、前記第１発光ダイオード５１が発する光線が円錐形反射槽６１により反射・集光され、前記透かし図形２１、透光性図形７１、透明のタッチ部材１２を通過してハウジング１０上方に向かって投射され、同時にタッチ部材１２に透かし図形２１と透光性図形７１の輪郭の光線が形成される。
【００４４】
さらに、上述の反射カップ６の上面部の周辺に少なくとも１つの凸部７２１を嵌置させるためのスロット６３が形成され、且つ反射カップ６底部の周辺に少なくとも１つのフック部６４が設けられ、前記制御ユニット３上の中央近くの位置に少なくとも１つのフック部６４を挿入させるための位置決め孔３３が形成され、反射カップ６が前記透光片７底部と制御ユニット３上面部の間に位置決めされ、且つ感知片２が円錐形反射槽６１上面部に位置決めされる。前記スロット６３は対称に設けられる。
【００４５】
上述のタッチ部材１２表面にも模様を形成してもよく、且つ模様は前記透かし図形２１と透光性図形７１に対応させることができ、前記透光片７は蛍光材料を含むプラスチックから製造し、透光片７が上述の光線の照射下で蛍光を発生するようにしてもよい。
【００４６】
さらに別の具体的な実施例において、本考案はさらに開口１１１内に設置された底蓋８を含み、前記底蓋８の上面部に２つの対称の弧形の耳片８１が設けられ、且つ前記耳片８１の間に振動器４を収容できる位置決め槽８２が形成され、前記振動器４が位置決め槽８２内に嵌置されて制御ユニット３下方の中央に位置決めされる。前記振動器４は複数の電源線４１を備え、且つ底蓋８上に複数の前記導線３２と電源線４１を開口１１１から収容槽１１の外に延伸させるための通口８３、８４が設けられる。これにより、底蓋８で開口１１１を密封し、外部の埃や水が収容槽１１に進入するのを防ぐと共に、隨意に開口１１１の底蓋８を取り外し、収容槽１１内の感知片２、制御ユニット３、導電部材３１、振動器４に対して保守を行うことができる。
【符号の説明】
【００４７】
１、１ａ、１ｂ、１ｃ、１ｄ  スイッチ
１０、１０ａ、１０ｂ、１０ｃ、１０ｄ  ハウジング
１０１  外周壁面
１１  収容槽
１１１  開口
１２、１２ａ、１２ｂ、１２ｃ、１２ｄ  タッチ部材
１２１  凸縁
１３  環状凸部
１４  突起部
１５  環状溝
１６  防水リング
２  感知片
２１  透かし図形
２２  凹部
３  制御ユニット
３１  導電部材
３２  導線
３３  位置決め孔
４  振動器
４１  電源線
５１  第１発光ダイオード
５２  第２発光ダイオード
６  反射カップ
６１  円錐形反射槽
６２  反射円錐面
６３  スロット
６４  フック部
７  透光片
７１  透光性図形
７２  凹槽
７２１  凸部
８  底蓋
８１  耳片
８２  位置決め槽
８３、８４  通口
９  予め定めた位置
９１  収容孔
【図１】
0003186187.tif 000003
【図２】
0003186187.tif 000004
【図３】
0003186187.tif 000005
【図４】
0003186187.tif 000006
【図５】
0003186187.tif 000007
【図６】
0003186187.tif 000008
【図７】
0003186187.tif 000009
【図８】
0003186187.tif 000010
【図９】
0003186187.tif 000011
【図１０】
0003186187.tif 000012
【図１１】
0003186187.tif 000013
【図１２】
0003186187.tif 000014